(57)【要約】【課題】比較的小容量であってもコスト効率よく製造できる取付け具を提供すること。【解決手段】本発明はシンクのボウル上に第１の流体を送出するための取付け具に関する。取付け具は、流体用の供給入口と流体用の送出出口とを備え、入口は、取付け具の中空体を介して出口に接続されており、中空体は２つの真っ直ぐな中空金属管体を備え、本取付け具は更に、使用時にシンクのボウルに隣接して取り付けられるように配置される第１の管体と、使用時にシンクのボウルの上に突出するように第１の管体の壁に接続される第２の管体とを備える。１つ又はそれ以上のインサートは、第１の金属管体内に設けられ、各インサートは一緒になって、第１の金属管体から第２の金属管体へ流体を案内するための、第１の金属管体内で湾曲したＬ型ダクトを形成する。管体は、比較的低コストで従来の圧延金属管材からカットできる。同時に、湾曲したＬ型ダクトは、第１の管体の内部の圧力損失を制限する。【選択図】図１
2015187386.tif 000002
【特許請求の範囲】
【請求項１】
シンクのボウルに第１の流体を供給するための取付け具であって、前記取付け具は、
流体用の供給入口と、
流体用の送出出口と、
を備え、前記入口は、前記取付け具の中空体を介して前記出口に接続されており、前記中空体は、
使用時に前記シンクのボウルに隣接して取り付けられるように配置される、真っ直ぐな第１の金属管体と、
使用時に前記シンクのボウルの上に突出するように前記第１の金属管体の壁に接続される、真っ直ぐな第２の金属管体と、
前記第１の金属管体内に設けられた１つ又はそれ以上のインサートとを有し、１つ又はそれ以上のインサートは共に、前記第１の金属管体から前記第２の金属管体へ流体を案内するための、前記第１の金属管体内で湾曲した屈曲ダクトを形成する、
取付け具。
【請求項２】
前記シンクのボウル上に追加的に第２の流体を送出する取付け具であって、前記取付け具は、第２の流体を送出する第２の送出出口を備え、前記第２の送出出口は、第２の流体の供給装置に接続するように配置される、請求項１に記載の取付け具。
【請求項３】
前記第２の送出出口は、前記湾曲した屈曲ダクトを通る導管によって前記第２の流体の供給装置に接続される、請求項２に記載の取付け具。
【請求項４】
前記インサートは、第２の管体の中を広がる、請求項１から３のいずれか１項に記載の取付け具。
【請求項５】
シンクでユーザの手を乾燥させる装置であって、本装置は、モータ駆動式ファンユニットと一緒に請求項１に記載の取付け具を備え、前記送出出口は、空気ノズルであり、前記ファンユニットは、乾燥空気を湾曲した屈曲ダクトを介して空気ノズルを通って送出するために前記供給入口に接続する、装置。
【請求項６】
前記装置は、複数の空気ノズルを備え、前記空気ノズルの少なくとも１つは、前記第２の管体から延びる２つの分岐ダクトの各々に設けられる、請求項５に記載の装置。
【請求項７】
前記インサートは発泡インサートである、請求項５又は６に記載の装置。
【請求項８】
前記インサートは発泡スチロール（ＥＰＳ）インサートである、請求項７に記載の装置。
【請求項９】
前記取付け具は、水供給装置に接続される水の送出出口を追加的に備える、請求項５から８のいずれか１項に記載の装置。
【請求項１０】
前記水の送出出口は、前記湾曲した屈曲ダクトを通るパイプによって前記水供給装置に接続される、請求項９に記載の装置。
【請求項１１】
前記水の送出出口が前記第２の管体に配置される、請求項９又は１０に記載の手乾燥機。
【発明の詳細な説明】
【技術分野】
【０００１】
本発明はシンク取付け具に関する。
【背景技術】
【０００２】
本取付け具は、洗浄用水を供給する蛇口とすることができ、詳細には、本発明は、好ましくは水の送出に加えて、ユーザの手を乾燥させる乾燥空気の噴流を送出する取付け具に関する。
従来の金属製の取付け具は、多くの場合、真ちゅうの鋳造品である。鋳造には、資本コストが高いという欠点がある。
【発明の概要】
【発明が解決しようとする課題】
【０００３】
従って、比較的小容量であってもコスト効率よく製造できる取付け具を提供することは好都合であろう。
【課題を解決するための手段】
【０００４】
本発明によれば、シンクのボウル上に第１の流体を送出するための取付け具が提供され、本取付け具は、流体用の供給入口と流体用の送出出口とを備え、入口は、取付け具の中空体を介して出口に接続されており、中空体は２つの真っ直ぐな中空金属管体を備え、本取付け具は更に、使用時にシンクのボウルに隣接して取り付けられるように配置される第１の管体と、使用時にシンクのボウルの上に突出するように第１の管体の壁に接続される第２の管体と、第１の金属管体内に設けられ、一緒になって、第１の金属管体から第２の金属管体へ流体を案内するための、第１の金属管体内で湾曲したＬ型ダクトを形成する１つ又はそれ以上のインサートと、を備える。
【０００５】
取付け具は、２つの真っ直ぐな中空金属管体を従来の圧延金属管材からカットできるので、小容量でもコスト効率よく製造できるという利点をもつ。しかしながら、同時に、第１の管体の内部の湾曲したＬ型ダクトは、それにもかかわらず、流体入口と流体出口の間の圧力損失を制限するために、第１の管体と第２の管体との間の滑らかな内部遷移を提供することができる。
【０００６】
管体は、圧延ステンレス製管材からカットできるが、これは必須ではない。
インサートは、発泡スチロール（ＥＰＣ）等の発泡材を使用して安価に製造することができる。発泡材料を使用すると、ある程度の断熱及び騒音吸収が可能になるという追加の利点がもたらされる。発泡材料の使用は必須ではなく、例えば、成型プラスチックインサートを使用することもできる。流体は、シンクでユーザの手を洗うための水とすることができる。
【０００７】
もしくは、流体は、シンク上でユーザの手を乾燥させるための空気とすることができる。この種の構造において、取付け具は、モータ駆動式ファンユニットと組み合わせて提供され、送出出口は空気ノズルの形態であり、ファンユニットは、供給入口に接続され、湾曲したＬ型ダクトを介して、空気ノズルを通って乾燥空気を送出するようになっている。
【０００８】
この種の構造では流体入口と流体出口との間の圧力損失を最小にすることは特に好都合であり、モータ駆動式ファンの出力圧力は、一般に１０−５０ＫＰａで範囲である（対照的に英国では一般的な水圧は約５００ＫＰａである）。流体出口の上流の圧力損失を低減することで、効果的な乾燥性能を得るための高い出口速度を維持できる。
【０００９】
本装置は、複数の空気ノズルを備えることができる。これらの空気ノズルは、第２の管体に接続される分岐管体に供給できる。この場合も、これらの分岐管体は、比較的安価に従来の圧延金属管材からカットできる。空気ノズル自体は、分岐管体の壁にドリルで空けられるか又はレーザカットされた穴とすることができる。
【００１０】
取付け具は、シンクのボウル上に  第２の流体を追加的に送出するように構成でき、取付け具は、第２の流体を独立して送出するための第２の送出出口を備え、第２の送出出口は、第２の流体を供給するための個別の流体供給装置に接続するように構成される。従って、取付け具の空気ノズルを通って空気が送出される前述の装置において、第２の流体は、取付け具の別個の水ノズルを通って送出される水とすることができる。１つの実施形態において、水ノズルは第２の管体に設けられ、好ましくは第２の管体の前端に設けられる。
【００１１】
第２の送出出口は、湾曲したＬ型ダクトを通るパイプを介して個別の流体供給装置に接続するように構成できる。例えば、水ノズルは、湾曲したＬ型ダクトを通るパイプを介して主水供給装置に接続することができる。これは特に装置をコンパクトにする。
インサートは第２の管体の中に延びることができるが、このことは必須ではない。
【００１２】
本発明の実施形態は、添付の図面を参照して以下に説明する。
【図面の簡単な説明】
【００１３】
【図１】本発明による、シンクに取り付けて示される取付け具の斜視図である。
【図２】取付け具の本体の一部を形成する第１の管体の斜視図である。
【図３】取付け具の本体の一部を形成する第２の管体の斜視図である。
【図４】図１のラインＡ−Ａに沿う断面図であり、取付け具、シンクの一部、及びシンクの下の取り付け構造を示す。
【図５】第１のインサートの斜視図である。
【図６】第２のインサートの斜視図である。
【発明を実施するための形態】
【００１４】
図１は、シンクのボウル２に隣接して取り付けられる取付け具１を示す。
取付け具１は、シンク２上で垂直に直立する第１の管体６、第１の管体６からシンクのボウル２上に水平方向に突出する第２の管体８、及び第２の管体８の両側から延びる２つの分岐管体１０である、４つの中空で真っ直ぐな金属管体で構成される管状組立体４の形態の金属中空体を有する。第１及び第２の管体６、８は、従来の圧延ステンレス製管材のカット部材である。
【００１５】
第１の管体６は、単独で図２に示される。第１の管体６は、上端に近傍に開口を備える。
第２の管体８は、単独で図２に示される。第２の管体８は、先端部に３つの開口を備え、第１及び第２の開口は管体８の側部に直径方向に対向する開口８ａ、８ｂであり、第３の開口８ｃは、管体８の下側にある（図３において、開口８ｃが見えるように第２の管体８は逆さまに示されている）。
【００１６】
中空管状組立体４を構成するために、第２の管体８は、第１の管体６の開口６ａの周りで第１の管体６に溶接されるか又は接続され、分岐管体１０は、同様に第２の管体８のそれぞれの開口８ａ、８ｂ、８ｃの周りで第２の管体８に接続される。
第１の管体６  の上端は、キャップ１２で封鎖される。同様に、第２の管体８の先端は封鎖キャップ１４で封鎖され、分岐ダクト１０はそれぞれの封鎖キャップ１６によって封鎖される（図１ではその一方だけが見える）。
【００１７】
取付け具１は、中空固定用スタッド１８（図４）によってシンク２に取り付けられ、固定用スタッド１８は、第１の管体６の下端に設けられ一体的にネジが切られた環状ブランク２０にねじ込まれる。この固定用スタッド１８は、シンク２の裏面に対してねじ留めされて取付け具を所定位置に固定するロックナット２２とシンク２の下で係合する。
【００１８】
取付け具１は、ユーザの手を洗うための水と、続いてユーザの手を乾燥させるための空気とを送出するように構成される。
水は開口１８ｃに取り付けられたエアレーターノズル２４を通って送出される。空気は、分岐ダクト１０の壁にドリルで穴あけされた又はレーザカットされた穴２６（図１）の形態の別個の空気ノズルを通って送出される。洗浄用の水及び乾燥用の空気は、取付け具の中空体を通って別々に供給される。
図４は、空気及び水の内部供給構造を示す。
【００１９】
（空気供給）
空気は、空気入口として機能する中空固定用スタッド１８を通って供給される。空気は、第１の管体６を通って第２の管体８に流れ、その後、空気ノズル２６を通って流出する前に２つに分岐ダクト１０に分配される。空気は、シンク２の下に配置され（図１参照）、フレキシブルホース３０で中空スタッド１８に接続されるモータ駆動式ファンユニットで供給される。
【００２０】
第１の管体６内の圧力損失を低減するために、２つのインサート３２、３４が設けられる。第１のインサート３２は、単独で図５に示される。第２のインサート３４は、単独で図６に示される。インサート３２、３４は組み合わされて、第１の管体６内の内部空気通路３６を形成する。この空気通路は、第２の管体が第１の管体に接続する領域で図４に示す湾曲したＬ型ダクトを含む。
【００２１】
湾曲したＬ型ダクト３８は、空気流を徐々に転向させて第２の管体８に案内することで、第１の管体６内の圧力損失を低減させる。
インサート３２、３４自体は、発泡スチロール（ＥＰＳ）等の発泡材から安価に製造することができる。また、発泡材を使用すると効果的な断熱が可能になり管体組立体の表面温度が低下すると共に、第１のダクト６内の騒音吸収が可能になる。
【００２２】
インサート３２、３４は、最初に取付け具１の組み立ての際に第１の管体６の面端部から挿入され、第１の管体６の壁に摩擦嵌めで係合する。第１のインサート３２は、第２の管体８の中に延びて第１のインサート３２を所定位置に保持するのを助けるボス部３２ａを備えるが、このことは、第２の管体内の第１のインサートの初期位置を与えるために、少なくとも２つのインサートを使用することを必要とする。もしくは、Ｌ型ダクト３８は、第１の管体６の底面から挿入できるが第２の管体８の中に延びない、単一のインサートで形成することができる。
【００２３】
ボス部３２ａは、必須ではないが、第２の管体８の内部の熱ライナ４０と面一に設けられ、第２の管体８に沿って流れる空気流のための連続面をもたらすようになっている。
【００２４】
（水供給）
水は、中空固定用スタッド１８及び湾曲したＬ型ダクト３８を通るフレキシブルパイプ４２を介して水ノズル２４に供給される。フレキシブルパイプ４２は、主水供給装置にストップバルブ（図示せず）を介して接続される。
【００２５】
（制御）
取付け具１は、従来式のセンサ及び制御ループを用いて「ハンズフリー」作動するように構成され、制御ループは、自動的にユーザの手の存在を検出してファンユニット２８及びストップバルブを制御して適宜に水及び空気を適宜供給する。制御電子回路４４は、第２の管体の前端に収容され、キャップ１４は、制御電子回路４４へのアクセスを容易にするために取り外しできることが好ましい。電力は、湾曲したＬ型ダクト３８を通る電源線４６から制御電子回路４４へ供給される。自動作動は必須ではなく、例えば、水供給ラインの手動ストップバルブを取付け具の内部に設けることができる。
【００２６】
空気ノズルは、分岐ダクトに設ける必要はない。代替え的に、空気ノズルは、第２の管体自体に設けることができる。同様に、水ノズルは、第２の管体に設ける必要はなく、例えば、同様に分岐ダクト１０の一方の分岐ダクトに設けることができる。
【符号の説明】
【００２７】
１  取付け具
４  管状組立体
６  第１の管体
８  第２の管体
１０  分岐ダクト
１２  キャップ
１４  キャップ
１６  封鎖キャップ
２６  穴
【図１】
2015187386.tif 000003
【図２】
2015187386.tif 000004
【図３】
2015187386.tif 000005
【図４】
2015187386.tif 000006
【図５】
2015187386.tif 000007
【図６】
2015187386.tif 000008